(57)【要約】      （修正有）【課題】歯リングの回転速度を低減させ、紙巻筒の回転速度を便宜にコントロールできるペーパーホルダーを提供する。【解決手段】ペーパーホルダーは、第１ナットが一体射出成形に設けられる基座１と、その一端に第１ナットと締合される第１ネジが固定され、第１ネジと第１ナットとの螺接によって基座１に支持される第１支持杆３と、第１支持杆３に着脱可能に固定される軸套５１と、軸套５１に回転可能に套設される歯リング５２と、および歯リング５２と一体射出成形される弾性片５３とを含み、歯リング５２に環形配布を呈する複数のスプラインが設けられ、軸套５１に変形発生可能によってスプラインと噛合する歯牙が備えられ、歯リング５２と軸套５１の相対回転で歯牙が順次にその対応のスプラインに噛み込み可能である第１固定ユニット５と、を含む。【選択図】図１
0003228862.tif 000002
【実用新案登録請求の範囲】
【請求項１】
ペーパーホルダーであって、
基座１と、
第１支持杆３と、
第１固定ユニット５と、を含み、
基座１に第１ナット２が一体射出成形により設けられ、
第１支持杆３の一端が第１ナット２と締合する第１ネジ４に固定され、第１支持杆３は
第１ネジ４と第１ナット２との螺接によって基座１に支持され、
第１固定ユニット５は、第１支持杆３に着脱可能に固定される軸套５１と、軸套５１に
回転可能に套設される歯リング５２と、および歯リング５２と一体射出成形される弾性片
５３とを含み、歯リング５２に環形状に配置される複数のスプライン５２１が設けられ、
軸套５１に変形発生可能によりスプライン５２１と噛合する歯牙５１１が備えられ、歯リ
ング５２と軸套５１の相対回転で歯牙５１１が順次にその対応のスプライン５２１に噛み
込み可能である、
を含む、ことを特徴とするペーパーホルダー。
【請求項２】
軸套５１に遊嵌溝５１２が備えられ、歯牙５１１は遊嵌溝５１２内に配置されかつ遊嵌溝
５１２内で弾性変形が可能である、ことを特徴とする請求項１に記載のペーパーホルダー
。
【請求項３】
歯牙５１１は、軸套５１に接続される変形部５１１１および変形部５１１１の頂部に接続
され且つ柱状を呈する柱状部５１１２を含み、柱状部５１１２は、対応するスプライン５
２１内に噛み込むことができる、ことを特徴とする請求項１又は２に記載のペーパーホル
ダー。
【請求項４】
変形部５１１１の両側にそれぞれ傾斜度が備えられ、且つ変形部５１１１の幅は変形部５
１１１の底部から変形部５１１１の頂部へ漸次的に減少する、ことを特徴とする請求項３
に記載のペーパーホルダー。
【請求項５】
さらに、第１プラグ６を含み、
第１ネジ４が第１プラグ６に一体射出成形され、第１プラグ６が第１支持杆３の底端に挿
接する、ことを特徴とする請求項１に記載のペーパーホルダー。
【請求項６】
さらに、
第２支持杆７と、
第２固定ユニット８と、を含み、
第２支持杆７は第１支持杆３の他端に着脱可能に接続され、
第２固定ユニット８は第１固定ユニット５と構成が同一であり、第２固定ユニット８の軸
套５１が第２支持杆７に着脱可能に固定される、ことを特徴とする請求項１に記載のペー
パーホルダー。
【請求項７】
さらに、
第２プラグ９と、
第３プラグ１１と、を含み、
第２プラグ９は一体射出成形により第２ネジ１０を備えており、第２プラグ９は第１支持
杆３の頂端に挿接し、
第３プラグ１１は一体射出成形により第２ネジ１０に締合する第２ナット１２を備えてお
り、第３プラグ１１は第２支持杆３の底端に挿接する、ことを特徴とする請求項６に記載
のペーパーホルダー。
【請求項８】
さらに、杆ヘッド１３を含み、
杆ヘッド１３は第１支持杆３の頂端または第２支持杆７の頂端に着脱可能に接続される、
ことを特徴とする請求項６又は７に記載のペーパーホルダー。
【請求項９】
さらに、第４プラグ１４を含み、
第４プラグ１４は一体射出成形により杆ヘッド１３に螺合する第３ネジ１５を備えており
、第４プラグ１４は第２支持杆７の頂端に挿接する、ことを特徴とする請求項８に記載の
ペーパーホルダー。
【請求項１０】
さらに、基座１の底部に固定される複数個の吸盤１６を含む、ことを特徴とする請求項１
に記載のペーパーホルダー。
【考案の詳細な説明】
【技術分野】
【０００１】
本実用新案は、ペーパーのホルダーに技術領域に関し、特にペーパーホルダーに関する。
【背景技術】
【０００２】
ペーパーホルダー（紙巻器）は、ティッシュペーパーなどの紙巻を配置するための構造で
ある。一般的な場合、ペーパーホルダーをダイニングやリビングの平台面に置いて、それ
から便利にペーパーを抽出するように使用する。従来のペーパーホルダーは、基座および
基座に支持される支持杆を含むものがある。その使用に際して、ティッシュなどの紙巻筒
を支持杆に配置する。使用者によりペーパーを巻き取ると、支持杆に対して紙巻筒を回動
させることができる。そのため、ペーパーの抽出を容易にできる。
【０００３】
また、従来のペーパーホルダーは、包装と運送のために、支持杆と基座を着脱可能に構成
するものがある。基座にねじ穴が開設され、支持杆の一端がねじ棒を備え、ねじ棒と基座
のねじ穴によって直接に支持杆を螺接するように構成される形態が提出されている。とこ
ろが、この形態では、基座が一般的にプラスチック製とするが、基座のねじ穴のプラスチ
ックねじの強度が低いので、支持杆と基座の接続確実性が悪いとう問題がある。これに対
して、支持杆と基座の接続強度を保証するために、基座に取付穴が開設され、支持杆の一
端のねじ棒を取付穴に貫通させ、ナットにより支持杆を基座に締結させる形態も提出され
ている。しかしその取外操作が煩瑣であるという問題がある。
【考案の概要】
【０００４】
本実用新案は、ペーパーホルダーを提供し、支持杆と基座の接続確実性が悪く、取外操作
が煩瑣であるという問題を解決する。
【０００５】
ペーパーホルダーは、
第１ナットが一体射出成形により設けられる基座と、
その一端に第１ナットと締合される第１ネジが固定され、第１ネジと第１ナットとの螺接
によって基座に支持される第１支持杆と、
第１支持杆に着脱可能に固定される軸套と、軸套に回転可能に套設される歯リングと、お
よび歯リングと一体射出成形される弾性片とを含み、歯リングに環形配布を呈する複数の
スプラインが設けられ、軸套に変形発生可能によりスプラインと噛合する歯牙が備えられ
、歯リングと軸套の相対回転で歯牙が順次にその対応のスプラインに噛み込み可能である
第１固定ユニットと、
を含む。
【０００６】
好ましくは、軸套に遊嵌溝が備えられ、歯牙は遊嵌溝内に配置されかつ遊嵌溝内で弾性変
形が可能である。
【０００７】
好ましくは、歯牙は、軸套に接続される変形部および変形部の頂部に接続され且つ柱状を
呈する柱状部を含み、柱状部は、対応するスプライン内に噛み込むことができる。
【０００８】
好ましくは、変形部の両側にそれぞれ傾斜度が備えられ、且つ変形部の幅は変形部の底部
から変形部の頂部へ漸次的に減少する。
【０００９】
好ましくは、
さらに、第１プラグを含み、
第１ネジが第１プラグに一体射出成形され、第１プラグが第１支持杆の底端に挿接する。
【００１０】
好ましくは、
さらに、
第２支持杆と、
第２固定ユニットと、を含み、
第２支持杆は第２支持杆が第１支持杆の他端に着脱可能に接続され、
第２固定ユニットは第１固定ユニットと構成が同一であり、第２固定ユニットの軸套が第
２支持杆に着脱可能に固定される。
【００１１】
好ましくは、
さらに、
第２プラグと、
第３プラグと、を含み、
第２プラグは一体射出成形により第２ネジを備えており、第２プラグは第１支持杆の頂端
に挿接し、
第３プラグは一体射出成形により第２ネジに締合する第２ナットを備えており、第３プラ
グは第２支持杆の底端に挿接する。
【００１２】
好ましくは、
さらに、杆ヘッドを含み、
杆ヘッドは第１支持杆の頂端または第２支持杆の頂端に着脱可能に接続される。
【００１３】
好ましくは、
さらに、第４プラグを含み、
第４プラグは一体射出成形により杆ヘッドに螺合する第３ネジを備えており、第４プラグ
は第２支持杆の頂端に挿接する。
【００１４】
好ましくは、
さらに、基座の底部に固定される複数個の吸盤を含む。
【００１５】
本実用新案に係るペーパーホルダーは以下の効果がある。
１）基座にそれと一体的に射出成形される（一体射出成形ともいう）第１ナットが設けら
れる。第１支持杆の一端に第１ナットと締合する第１ネジが固定される。第１ネジと第１
ナットの螺接によって第１支持杆が基座に支持される。従来の支持杆と基座のねじ穴の直
接的接続方式に代わって、第１支持杆上で第１ネジと基座における第１ナットとの螺接を
使用することにより、第１支持杆と基座１の接続確実性を保証する。第１支持杆を回転さ
せれば、第１支持杆と基座が着脱可能であり、第１支持杆と基座の着脱操作はより簡単に
実現できる。
２）使用者によりペーパーを巻き取ると、紙巻筒に連動して歯リングが軸套に対して回転
させられる。軸套上の歯牙が変形するので、歯リングの回転過程で歯牙が順次に対応のス
プラインに噛み込み、歯リングに対する間隔的ブレーキを実現するとなる。これにより歯
リングの回転速度を低減させ、紙巻筒の回転速度を便宜にコントロールできる。また手を
離すと、紙巻筒が早速で回転停止することができるので、定量的にペーパー抽出が可能で
、ペーパーの浪費を回避できる。
３）弾性片と歯リングを一体的に射出成形することにより、別途に弾性片と歯リングの組
み立て工程を必要としなく、弾性片と歯リングの間の確実性も確保できる。また歯リング
を軸套後に套設し、弾性片の取付と歯リングの取付を同時に実行することができるので、
第１固定ユニットの快速取付が実現できる。
【図面の簡単な説明】
【００１６】
【図１】本実用新案の実施形態により提供されるペーパーホルダーの立体構造図である。
【図２】本実用新案の実施形態により提供されるペーパーホルダーの立体構造分解図である。
【図３】本実用新案の実施形態によって提供されるペーパーホルダーの部分構造の断面図である。
【図４】本実用新案の実施形態によって提供されるペーパーホルダーの歯リングと弾性片の構成図である。
【図５】図２の部分Ａの拡大図である。
【図６】本実用新案の実施形態によって提供されるペーパーホルダーの軸套の構成図である。
【図７】図６の部分Ｂの拡大図である。
【図８】本実用新案の実施形態によって提供されるペーパーホルダーの使用状態図である
【考案を実施するための形態】
【００１７】
本実用新案の目的、技術方案及び利点をより明確にするために、以下、図面及び実施例に
基づき、本実用新案についてさらに詳細に説明する。ここで説明した具体的な実施形態は
、本考案を説明するためだけに用いられ、本考案を限定するものではないことを理解すべ
きである。
【００１８】
本実用新案の実施形態に係るペーパーホルダーは、基座にそれと一体的に射出成形される
（一体射出成形ともいう）第１ナットが設けられる。第１支持杆の一端に第１ナットと締
合する第１ネジが固定される。第１ネジと第１ナットの螺接によって第１支持杆が基座に
支持される。従来の支持杆と基座のねじ穴の直接的接続方式に代わって、第１支持杆上で
第１ネジと基座における第１ナットとの螺接を使用することにより、第１支持杆と基座１
の接続確実性を保証する。第１支持杆を回転させれば、第１支持杆と基座が着脱可能であ
り、第１支持杆と基座の着脱操作はより簡単に実現できる。
【００１９】
図１〜図７を参考する。本実用新案の実施例において提供されるペーパーホルダーは、
第１ナット２が一体射出成形に設けられる基座１と、
その一端に第１ナット２と締合される第１ネジ４が固定され、第１ネジ４と第１ナット２
との螺接によって基座１に支持される第１支持杆３と、
第１支持杆３に着脱可能に固定される軸套５１と、軸套５１に回転可能に套設される歯リ
ング５２と、および歯リング５２と一体射出成形される弾性片５３とを含み、歯リング５
２に環形配布を呈する複数のスプライン５２１が設けられ、軸套５１に変形発生可能によ
ってスプライン５２１と噛合する歯牙５１１が備えられ、歯リング５２と軸套５１の相対
回転で歯牙５１１が順次にその対応のスプライン５２１に噛み込み可能である第１固定ユ
ニット５と、
を含む。
【００２０】
本実用新案の実施例では、基座１にそれと一体的に射出成形される（一体射出成形ともい
う）第１ナット２が設けられる。第１支持杆３の一端に第１ナット２と締合する第１ネジ
４が固定される。第１ネジ４と第１ナット２の螺接によって第１支持杆３が基座１に支持
される。従来の支持杆と基座のねじ穴の直接的接続方式に代わって、第１支持杆３上で第
１ネジ４と基座１における第１ナット２との螺接を使用することにより、第１支持杆３と
基座１の接続確実性を保証する。第１支持杆３を回転させれば、第１支持杆３と基座１が
着脱可能であり、第１支持杆３と基座１の着脱操作はより簡単に実現できる。
【００２１】
本実用新案の実施例では、基座１はＡＢＳ（Ａｃｒｙｌｏｎｉｔｒｉｌｅ  Ｂｕｔａｄｉ
ｅｎｅ  Ｓｔｙｒｅｎｅ：アクリロニトリル・ブタジエン・スチレン共重合合成樹脂）製
とする。第１ナット２は金属製ナットとする。第１支持杆３はステンレス鋼材製とする。
軸套５１はＡＢＳ製とする。ＡＢＳ材料の高強度、強靭性、および加工成型容易の利点に
よって、歯牙５１１を変形させやすく、且つ強度要求も満すことができる。
【００２２】
本実用新案の一実施例としては、基座１は基座本体１０１および基座本体１０１に蓋設さ
れる蓋板１０２を含む。第１ナット２と基座本体１０１とが一体射出成形される。蓋板１
０２に貫通穴が設置される。第１支持杆３の底端の第１ネジ４が蓋板１０２上の貫通穴を
貫通して基座１上の第１ナット２に螺接する。
【００２３】
実用に際しては、紙巻筒を第１支持杆３の弾性片５３に外套させて確実的に嵌合させる。
軸套５１は歯リング５２を間隔的にブレーキする機能を発揮する。使用者がペーパーを巻
き取ると、紙巻筒に連動して歯リング５２が軸套５１に対して回転する。歯リング５２の
回転過程で歯リング５２に連動して軸套５１上の歯牙５１１が変形する。それで、歯牙５
１１が順次にそれぞれのスプライン５２１に噛み込んでいく。軸套５１上の歯牙５１１は
歯リング５２を間隔的に止める機能を発揮する。これによって歯リング５２を間隔的にブ
レーキする。歯リング５２の回転速度を低減させ、紙巻筒の回転速度を容易に制御できる
。ペーパーを巻き取る力が歯牙５１１の変形発生に必要な力を超えていないと、紙巻筒が
回転しない。手を離すと紙巻筒が直ちに回転を停止する。これにより定量的にペーパーを
巻き取ることができ、ペーパーの浪費を回避できる。また、歯牙５１１が変形し順次に其
々のスプライン５２１中に噛み込み、断続式の音声を発生する。音声の回数によって紙巻
筒の回転量を判断でき、かつ音声の頻度によって紙巻筒の回転速度を判断することができ
る。これにより、使用者がペーパーの抽出量をコントロールでき、ペーパーの浪費を回避
できる。
【００２４】
本実用新案の一実施例としては、軸套５１に遊嵌溝５１２が備えられる。歯牙５１１は遊
嵌溝５１２内に配置されかつ遊嵌溝５１２内で弾性変形が可能である。使用者によりペー
パーを巻き取ると、紙巻筒に連動して歯リング５２が軸套５１に対して回転させられる。
軸套５１上の歯牙５１１が変形するので、歯リング５２の回転過程で歯牙５１１が順次に
対応のスプライン５２１に噛み込み、歯リング５２に対する間隔的ブレーキを実現すると
なる。これにより歯リング５２の回転速度を低減させ、紙巻筒の回転速度を便宜にコント
ロールできる。また手を離すと、紙巻筒が早速で回転停止することができるので、定量的
にペーパー抽出が可能で、ペーパーの浪費を回避できる。
【００２５】
本実用新案の一実施例としては、歯牙５１１は軸套５１に接続される変形部５１１１およ
び変形部５１１１の頂部に接続され且つ柱状を呈する柱状部５１１２を含む。柱状部５１
１２は対応のスプライン５２１内に係込むことができる。
【００２６】
本実用新案の実施例では、柱状を呈する柱状部５１１２が対応のスプライン５２１内に係
込むことにより、歯牙５１１とスプライン５２１の接触摩擦力を大幅に減少し、歯牙５１
１の断裂を防止する。これにより、本ペーパーホルダーの使用寿命を延長する。
【００２７】
本実用新案の一実施例としては、変形部５１１１の両側にそれぞれ傾斜度が備えられる。
且つ変形部５１１１の幅は変形部５１１１の底部から変形部５１１１の頂部へ漸次的に減
少する。変形部５１１１の幅は変形部５１１１の底部から変形部５１１１の頂部へ漸次的
に減少するので、変形部５１１１は底部から頂部へ弾性力が漸次的に増大する。これによ
り、柱状部５１１２が大きく弾性変位することができ、それによって歯牙５１１の変形過
程での断裂を防止し、さらにペーパーホルダーの使用寿命を延長する。
【００２８】
本実用新案の一実施例としては、軸套５１は締固部材により着脱可能に第１支持杆３に固
定される。本実施例では、締固部材はボルト、ネジまたはピンとしてもよい。第１支持杆
３に軸套５１を組立てようとするときに、軸套５１を第１支持杆３に套設して、締固部材
により第１支持杆３に固定する。
【００２９】
本実用新案の一実施例としては、軸套５１は別体に設けられる第１囲込体５１３および第
２囲込体５１４により互いに係合されることにより構成される。第１囲込体５１３と第２
囲込体５１４はそれぞれ第１支持杆３を半分包囲する。第１囲込体５１３と第２囲込体５
１４にそれぞれ固定穴５１５が設けられる。上記締固部材は第１囲込体５１３および第２
囲込体５１４の固定穴５１５の両方を挿通する。
【００３０】
本実施例では、第１囲込体５１３と第２囲込体５１４は相同構成であり、第１囲込体５１
３と第２囲込体５１４により組み立てて軸套５１を構成する。第１支持杆３に軸套５１を
組み立てる際において、第１囲込体５１３と第２囲込体５１４がそれぞれ第１支持杆３を
半分包囲できる。さらに締固部材を順次に第１囲込体５１３および第２囲込体５１４の固
定穴５１５を挿通させることにより、該軸套５１を第１支持杆３に固定する。取付方式は
簡単でかつ確実的に固定できる。軸套５１は相互別体に設置される第１囲込体５１３およ
び第２囲込体５１４とすることにより、第１支持杆３の頂部から軸套５１を套入させる必
要がなく、軸套５１と第１支持杆３の嵌合精度が低くてもよく、加工コストが低下する。
【００３１】
本実用新案の一実施例としては、第１囲込体５１３と第２囲込体５１４にそれぞれ歯牙５
１１が設けられ、且つ両歯牙５１１が相互に対向して設置される。これにより、歯リング
５２に対する軸套５１のロック止め効果が向上する。
【００３２】
本実用新案の一実施例としては、第１囲込体５１３と第２囲込体５１４にそれぞれ位置決
め柱５１６、および位置決め柱５１６に嵌合される位置決め穴５１７が設けられる。第１
囲込体５１３上の位置決め柱５１６が第２囲込体５１４上の位置決め穴５１７内に挿設さ
れ、第２囲込体５１４上の位置決め柱５１６が第１囲込体５１３上の位置決め穴５１７内
に挿設される。これにより、第１囲込体５１３および第２囲込体５１４が一体的構成にす
ることができる。これにより第１囲込体５１３と第２囲込体５１４の係合はより頑固的、
接続はより確実的になる。
【００３３】
本実用新案の一実施例としては、第１固定ユニット５の弾性片５３の数は複数個とする。
複数個の弾性片５３は相互に接近や開放することができる。紙巻筒をペーパーホルダーに
配置しょうとする時に、紙巻筒を弾性片５３に外套して、複数個の弾性片５３の弾性力に
より弾性片５３を紙巻筒に緊密に係合する。これにより紙巻筒の回転によって歯リング５
２を回転駆動できる。
【００３４】
本実施例では、弾性片５３はステンレス鋼材製とする。第１固定ユニット５の弾性片５３
の数は３個とする。３個の弾性片５３は爪状の配布を呈する。しかるに、複数個の弾性片
５３が上から下へ漸次的に開放（拡張）される。押圧作用によって弾性片５３が弾性変形
できるので、複数個の弾性片５３が各規格紙巻筒の穴径に自動的に適応することができる
。紙巻筒をペーパーホルダーに配置しょうとする時に、紙巻筒を第１支持杆３の頂部から
下向きに第１支持杆３に挿設させて紙巻筒を弾性片５３外に套設させる。複数個の弾性片
５３が押圧されて、互いに接近するようになることで、弾性片５３の弾性力作用によって
紙巻筒に緊密に抵触する。これにより、紙巻筒を確実的にペーパーホルダーに固定する。
一方、紙巻筒が取り外されると、複数個の弾性片５３が再び互いに開放する。
【００３５】
本実用新案の一実施例としては、ペーパーホルダーは、さらに第１プラグ６を含み、第１
ネジ４が第１プラグ６に一体射出成形され、第１プラグ６が第１支持杆３の底端に挿接す
る。
【００３６】
本実施例では、第１支持杆３は頂端から底端まで貫通する中空構成とする。第１ネジ４が
第１プラグ６と一体射出成形するとともに、第１プラグ６が第１支持杆３に挿接すること
により、第１ネジ４と第１支持杆３が快適に固定取付することができる。ここで、第１プ
ラグ６はＡＢＳプラスチック製とする。
【００３７】
本実用新案の一実施例としては、ペーパーホルダーはさらに第２支持杆７を含む。第２支
持杆７が第１支持杆３の他端に着脱可能に接続される。
【００３８】
第２固定ユニット８および第２固定ユニット８は第１固定ユニット５と構成が相同である
。第２固定ユニット８の軸套５１が第２支持杆７に着脱可能に固定される。
【００３９】
本実施例では、同じように第２固定ユニット８は軸套５１、軸套５１に套設され且つ軸套
５１に対して回転可能な歯リング５２、および歯リング５２に一体射出成形される弾性片
５３を含み、２固定ユニット８の軸套５１が第２支持杆７に着脱可能に固定され、歯リン
グ５２に環形配布を呈する複数個のスプライン５２１が備えられ、軸套５１に変形発生可
能によってスプライン５２１に噛合する歯牙５１１が設けられる。歯リング５２が軸套５
１に対して回転すると、歯牙５１１が順次に対応のスプライン５２１内に噛み込んでいく
。ここでは、第２固定ユニット８を第２支持杆７に取付固定する形態は、第１固定ユニッ
ト５を第１支持杆３に取付固定する形態と同じでもよい。
【００４０】
本実用新案の実施例では、第１固定ユニット５および第２固定ユニット８は紙巻筒を固定
するためのものである。第２支持杆７と第２固定ユニット８を設けることにより、紙巻筒
の規格長度によって支持杆の長度を増加することができ、実際によって使用者により支持
杆の長度を増加や減縮することができる。実用に際しては使用者は、図８に示されるよう
に、第１支持杆３と基座１を組立てて、第１固定ユニット５を第１支持杆３に組立てるだ
けをして、紙巻筒を第１固定ユニット５の弾性片５３に套設するように使用してもよいが
、図１に示されるように、第１支持杆３と基座１を組立てて、第１固定ユニット５を第１
支持杆３に組立てて、また第２支持杆７を第１支持杆３の頂端に着脱可能に接続させて、
第２固定ユニット８を第２支持杆７に組立てるまでをしてから、紙巻筒を第１固定ユニッ
ト５および第２固定ユニット８の両方に套設するように使用してもよい。後者のようにし
て、第１固定ユニット５および第２固定ユニット８が一緒に紙巻筒を固定するわけになる
。
【００４１】
本実用新案の一実施例としては、ペーパーホルダーはさらに、第２プラグ９と第３プラグ
１１を含む。第２プラグ９は一体射出成形によって第２ネジ１０を備えている。第２プラ
グ９は第１支持杆３の頂端に挿接する。第３プラグ１１は一体射出成形によって第２ネジ
１０に締合する第２ナット１２を備えている。第３プラグ１１は第２支持杆３の底端に挿
接する。本考案では「一体射出成形」とは射出成形によって一体的に形成されるのを意味
する。
【００４２】
本実施例では、第２支持杆７は頂端から底端まで貫通する中空構成とする。第２ネジ１０
と第２プラグ９を一体射出成形するとともに、第２プラグ１０を第１支持杆３に挿接する
ことにより、第２ネジ１０と第１支持杆３を快適に固定取付することができる。第２ナッ
ト１２と第３プラグ１１を一体射出成形するとともに、第３プラグ１１を第２支持杆７に
挿接させることにより、第２ナット１２と第２支持杆７を快適に固定取付することができ
る。
【００４３】
本実用新案の一実施例としては、ペーパーホルダーはさらに杆ヘッド１３を含む。杆ヘッ
ド１３は第１支持杆３の頂端または第２支持杆７の頂端に着脱可能に接続される。
【００４４】
本実施例では、杆ヘッド１３を設けてこの杆ヘッド１３により紙巻筒を位置限定すること
により、第１支持杆３の頂端や第２支持杆７の頂端から紙巻筒が脱落することを防止する
。ペーパーホルダーの使用信頼性を保証する。
【００４５】
本実用新案の一実施例としては、ペーパーホルダーはさらに第４プラグ１４を含む。第４
プラグ１４は一体射出成形によって杆ヘッド１３に螺合する第３ネジ１５を備える。第４
プラグ１４は第２支持杆７の頂端に挿接する。
【００４６】
本実施例では、杆ヘッド１３にねじ穴が設けられる。杆ヘッド１３上のねじ穴は第１支持
杆３の頂端の第２ネジ１０または第２支持杆７上の第３ネジ１５に螺接することができる
。図８に示されるように、単に第１支持杆だけを取り付ける場合、杆ヘッド１３と第１支
持杆３の頂端の第２ネジ１０とが接続する。図１に示されるように、第１支持杆３と第２
支持杆７を取付ける場合、杆ヘッド１３と第２支持杆７の第３ネジ１５とが螺接する。
【００４７】
本実用新案の一実施例としては、ペーパーホルダーはさらに基座１の底部に固定される複
数個の吸盤１６を含む。基座１は複数個の吸盤１６により支持平台に吸付される。支持平
台は食卓や茶卓などの台面等でもよく、それによってペーパーを巻き取る時にペーパーホ
ルダーの倒れることを防止することができる。ペーパーを巻き取るときに、他の手でもペ
ーパーホルダーを持ちながらペーパーホルダーの倒れを防止する必要がない。これにより
容易にペーパーを抽出することができ、且つ片手でペーパーを巻き取ることができ、また
、手上の汚れによりペーパーに付けて汚されることも回避できる。
【００４８】
本実施例では、吸盤１６の数は４個とし、且つ基座１の下方に均一に配布されている。そ
の使用に際して、食卓や茶卓の台面等の支持平台に各吸盤１６を吸付けさせて、これによ
り基座１を確実的に支持台面に固定する。ここでは、吸盤１６と基座１の固定形態は限定
されない。また言うまでもなく、吸盤１６は限定されず、磁石や両面テープでもよく、基
座１を磁気材料製の支持台面や他の材質の支持台面に固定するためである。
【００４９】
本実用新案の一実施例としては、ペーパーホルダーはさらに第１支持杆３に套設され且つ
第１プラグ６を収納する密閉蓋１７を含み、密閉蓋１７が基座１の上面に抵触する。密閉
蓋１７は第１プラグ６を遮蔽するためのもので、第１プラグ６が露出し外観を影響するこ
とを防止する。
【００５０】
本実用新案に提供されるペーパーホルダーの動作過程は下記のとおりである。まず第１固
定ユニット５を第１支持杆３に取付けるとともに、第２固定ユニット８を第２支持杆７に
取付ける。そして、図１に示されるように、長度規格が大きい紙巻筒を配置する場合、基
座１の吸盤１６を支持平台に吸付けさせることにより、該ペーパーホルダーを支持平台に
固定する。第１固定ユニット５を組立てた第１支持杆３を基座１に取付けてから、第２固
定ユニット８を組立てた第２支持杆７を第１支持杆３に組み立てて、紙巻筒を第２支持杆
７の頂部から下向きに第２支持杆７および第１支持杆３に挿設させ、紙巻筒を第２固定ユ
ニット８の弾性片５３および第１固定ユニット５上の弾性片５３に套設させ、最後に杆ヘ
ッド１３と第２支持杆７の頂端を接続させる。また、図８に示されるように、長度規格が
小さい紙巻筒を配置する場合、基座１の吸盤１６を支持平台に吸付けさせ、第１固定ユニ
ット５を組み立てた第１支持杆３を基座１に取付け、紙巻筒を第１支持杆３の頂部から下
向きに第１支持杆３に挿設させて、紙巻筒を第１固定ユニット５上の弾性片５３に套設さ
せ、最後に杆ヘッド１３と第１支持杆３の頂端を接続させる。
【００５１】
本実用新案の実施形態に係るペーパーホルダーは、基座にそれと一体的に射出成形される
（一体射出成形ともいう）第１ナットが設けられる。第１支持杆の一端に第１ナットと締
合する第１ネジが固定される。第１ネジと第１ナットの螺接によって第１支持杆が基座に
支持される。従来の支持杆と基座のねじ穴の直接的接続方式に代わって、第１支持杆上で
第１ネジと基座における第１ナットとの螺接を使用することにより、第１支持杆と基座１
の接続確実性を保証する。第１支持杆を回転させれば、第１支持杆と基座が着脱可能であ
り、第１支持杆と基座の着脱操作はより簡単に実現できる。使用者によりペーパーを巻き
取ると、紙巻筒に連動して歯リングが軸套に対して回転させられる。軸套上の歯牙が変形
するので、歯リングの回転過程で歯牙が順次に対応のスプラインに噛み込み、歯リングに
対する間隔的ブレーキを実現するとなる。これにより歯リングの回転速度を低減させ、紙
巻筒の回転速度を便宜にコントロールできる。また手を離すと、紙巻筒が早速で回転停止
することができるので、定量的にペーパー抽出が可能で、ペーパーの浪費を回避できる。
【００５２】
弾性片と歯リングを一体的に射出成形することにより、別途に弾性片と歯リングの組み立
て工程を必要としなく、弾性片と歯リングの間の確実性も確保できる。また歯リングを軸
套後に套設し、弾性片の取付と歯リングの取付を同時に実行することができるので、第１
固定ユニットの快速取付が実現できる。
【００５３】
以上は本実用新案の比較的好ましい実施例にすぎず、本実用新案を制限する必要はなく、
本実用新案の精神及び原則の内に作成されたいかなる修正、均等置換及び改良等は、本実
用新案の保護範囲に含まれるものとする。
【図１】
0003228862.tif 000003
【図２】
0003228862.tif 000004
【図３】
0003228862.tif 000005
【図４】
0003228862.tif 000006
【図５】
0003228862.tif 000007
【図６】
0003228862.tif 000008
【図７】
0003228862.tif 000009
【図８】
0003228862.tif 000010